(57)【要約】      （修正有）【課題】球制御の安定性を向上させられるビリヤードキュースティックシャフト及びビリヤードキュースティックを提供する。【解決手段】ビリヤードキュースティックシャフト１００は外管１０、内部設置部材２０を有する。外管は打球アセンブリ３０が結合される打球端１１及び反対に設置する組み接続端１２を有し、組み接続端はビリヤードキュースティックのバットに組み接続され、打球端と組み接続端の間には軸方向に沿って収容設置空間１３を設置する。内部設置部材２０は一定の長さを有し収容設置空間に設置され、内部設置部材の外縁と外管の内縁とは相互に対応する。これにより、ビリヤードキュースティックシャフトは非単一構成部材で、球制御の安定性を高められ、良好な打球効果を達成できる。【選択図】図２
0003216996.tif 000002
【実用新案登録請求の範囲】
【請求項１】
球制御の安定性を向上させられるビリヤードキュースティックシャフトであって、
外管と内部設置部材を有し、
前記外管は、打球端及び反対に設置する組み接続端を有し、
前記組み接続端は、ビリヤードキュースティックのバットに組み接続され、
前記打球端と前記組み接続端の間には、軸方向に沿って、収容設置空間を設置し、
前記内部設置部材は、一定の長さを有し、前記収容設置空間に設置され、
前記内部設置部材の外縁と前記外管の内縁とは、相互に対応することを特徴とする、
球制御の安定性を向上させられるビリヤードキュースティックシャフト。
【請求項２】
前記球制御の安定性を向上させられるビリヤードキュースティックシャフトは、打球アセンブリをさらに有し、前記打球アセンブリは、前記打球端に結合し、前記打球アセンブリは、レザーティップ及び固定リングを有し、前記固定リングは、前記打球端に嵌めて設置され、前記レザーティップは、前記打球端に反対の前記固定リングの端部に設置されることを特徴とする請求項１に記載の球制御の安定性を向上させられるビリヤードキュースティックシャフト。
【請求項３】
前記球制御の安定性を向上させられるビリヤードキュースティックシャフトは、中間部材をさらに有し、前記中間部材は、前記レザーティップと前記固定リングの間に設置されることを特徴とする請求項２に記載の球制御の安定性を向上させられるビリヤードキュースティックシャフト。
【請求項４】
前記外管は、組合せ管で、複数の単体を環状に組み合わせて形成し、前記外管の内縁と前記内部設置部材の外縁は、円形対応であることを特徴とする請求項１に記載の球制御の安定性を向上させられるビリヤードキュースティックシャフト。
【請求項５】
前記内部設置部材の横断面は、中実円或いは中空円であることを特徴とする請求項１に記載の球制御の安定性を向上させられるビリヤードキュースティックシャフト。
【請求項６】
前記内部設置部材の少なくとも一端には、端部部材を設置することを特徴とする請求項５に記載の球制御の安定性を向上させられるビリヤードキュースティックシャフト。
【請求項７】
前記端部部材は、ポリウレタンであることを特徴とする請求項６に記載の球制御の安定性を向上させられるビリヤードキュースティックシャフト。
【請求項８】
前記内部設置部材の材質は、カーボンファイバーであることを特徴とする請求項１に記載の球制御の安定性を向上させられるビリヤードキュースティックシャフト。
【請求項９】
前記内部設置部材は、２個で、前記外管の軸に上向きに離して設置されることを特徴とする請求項１に記載の球制御の安定性を向上させられるビリヤードキュースティックシャフト。
【請求項１０】
前記球制御の安定性を向上させられるビリヤードキュースティックシャフトは、充填部材をさらに有し、前記充填部材は、前記打球端と前記内部設置部材の間に設置されることを特徴とする請求項１に記載の球制御の安定性を向上させられるビリヤードキュースティックシャフト。
【請求項１１】
前記充填部材は、ポリウレタン或いは木材であることを特徴とする請求項１０に記載の球制御の安定性を向上させられるビリヤードキュースティックシャフト。
【請求項１２】
バットを有し、
前記バットは、請求項１〜１１の任意の一項に記載の球制御の安定性を向上させられるビリヤードキュースティックシャフトと螺接されることを特徴とする、
ビリヤードキュースティック。
【考案の詳細な説明】
【技術分野】
【０００１】
本考案はビリヤードキュースティックに関し、特に球制御の安定性を向上させられるビリヤードキュースティックシャフト及びそのビリヤードキュースティックに関する。
【背景技術】
【０００２】
一般のビリヤードキュースティックは、シャフト（ｓｈａｆｔ）とバット（ｂｕｔｔ）を組み合わせて構成され、携帯の便を図る。
【０００３】
ビリヤードキュースティックはほとんどが木材により製造されるが、木材内の繊維木目は均一でない。
しかも、木材には太陽に対する向きにより、成長方向の特性があり、素材となる木材が異なれば木質も異なる。
そのため、作られるビリヤードキュースティックの球制御も一致させられない。
同時に、木材には明確な木目と毛細孔があるため、気候の影響を受けやすく、ビリヤードキュースティックのバットの品質に変化が生じ、安定性が劣る。
【０００４】
また、二部分以上で構成されるビリヤードキュースティックは、天候の影響を受け安定性が劣るため、その弾性もそれに相対して劣る。
【０００５】
上記した問題を克服するため、市販のビリヤードキュースティックには、カーボンファイバー複合材質を用いて製造するものもある。
それは、変形しにくいという長所を有するが、この種のキュースティックは、木製のビリヤードキュースティックに比べ、硬すぎて球制御が難しい。
【考案の概要】
【考案が解決しようとする課題】
【０００６】
前記先行技術には、安定性が劣り、カーボンファイバー複合材質を用いて製造するものは、木製のビリヤードキュースティックに比べ、硬すぎて球制御が難しい欠点がある。
【課題を解決するための手段】
【０００７】
本考案のビリヤードキュースティックシャフトは、内部設置部材を外管内に通して設置することで、ビリヤードキュースティックシャフトが単一構成部材ではなくなるため、気候による変化の問題を回避でき、球制御の安定性を高め、球制御の安定性を向上させられるビリヤードキュースティックシャフト及びそのビリヤードキュースティックに関する。
【０００８】
本考案による球制御の安定性を向上させられるビリヤードキュースティックシャフトは、外管及び内部設置部材を有する。
該外管は、打球端及び反対に設置する組み接続端を有し、組み接続端は、ビリヤードキュースティックのバットに組み接続され、打球端と組み接続端の間には、軸方向に沿って、収容設置空間を設置する。
内部設置部材は、一定の長さを有し、収容設置空間に設置され、しかも内部設置部材の外縁と外管の内縁とは、相互に対応する。
【０００９】
一実施形態中において、打球アセンブリをさらに有し、該打球アセンブリは、打球端に結合し、該打球アセンブリは、レザーティップ及び固定リングを有する。
固定リングは、打球端に嵌めて設置し、レザーティップは、打球端反対の、固定リング端部に設置する。
【００１０】
一実施形態中において、中間部材をさらに有し、レザーティップと該固定リングの間に設置する。
【００１１】
一実施形態中において、外管は、組合せ管で、複数の単体を環状に組み合わせて形成する。
外管の内縁と内部設置部材の外縁は、円形対応である。
【００１２】
一実施形態中において、内部設置部材の横断面は、中実円或いは中空円である。
【００１３】
一実施形態中において、内部設置部材の少なくとも一端には、端部部材を設置する。
【００１４】
一実施形態中において、端部部材は、ポリウレタンである。
【００１５】
一実施形態中において、内部設置部材の材質は、カーボンファイバーである。
【００１６】
一実施形態中において、内部設置部材は、２個で、外管の軸に上向きに離して設置される。
【００１７】
一実施形態中において、充填部材をさらに有し、該充填部材は、打球端と内部設置部材の間に設置される。
【００１８】
一実施形態中において、充填部材は、ポリウレタン或いは木材である。
【００１９】
一実施形態中において、ビリヤードキュースティックは、バットを有し、バットは、該ビリヤードキュースティックシャフトと螺接される。
【００２０】
以上のように、本考案のビリヤードキュースティックシャフトは、組合せ式を採用し、非単一構成部材であるため、全体的に気候の影響を受けて変質しにくく、ビリヤードキュースティックの直度及び弾性を高め、球制御の安定性を高められ、良好な打球効果を達成できる。
【図面の簡単な説明】
【００２１】
【図１】本考案ビリヤードキュースティックの分解模式図である。
【図２】本考案の第一実施形態の分解断面模式図である。
【図３】本考案の第一実施形態の横断面模式図である。
【図４】本考案の第二実施形態の横断面模式図である。
【図５】本考案の第三実施形態の横断面模式図である。
【図６】本考案の第四実施形態の分解断面模式図である。
【図７】本考案の第四実施形態の横断面模式図である。
【図８】本考案の第五実施形態の横断面模式図である。
【図９】本考案の第六実施形態の横断面模式図である。
【図１０】本考案の第七実施形態の分解断面模式図である。
【図１１】本考案の第八実施形態の分解断面模式図である。
【図１２】本考案の第九実施形態の分解断面模式図である。
【図１３】本考案の第十実施形態の分解断面模式図である。
【考案を実施するための形態】
【００２２】
（一実施形態）
図１〜図３に示す通り、本考案による球制御の安定性を向上させられるビリヤードキュースティックシャフト１００の第一実施形態は、ビリヤードキュースティック１のバット２に組み接続される。
ビリヤードキュースティックシャフト１００は、外管１０及び内部設置部材２０を有する。
外管１０は、打球端１１及び反対に設置する組み接続端１２を有する。
組み接続端１２は、バット２と相互に螺接し、ビリヤードキュースティック１を組成する。
【００２３】
外管１０の打球端１１と組み接続端１２の間には、軸方向に沿って、収容設置空間１３を設置する。
収容設置空間１３は、組み接続端１２から、打球端１１方向へと徐々に縮小し、内部設置部材２０を、内部に充填して設置する。
外管１０の内縁と内部設置部材２０の外縁は、円形対応である。
外管１０は、本実施形態中では、木材質製の単一中空管である。
他の本実施形態中では、外管１０は、木材質製の組合せ管で、複数の単体を環状に組み合わせて形成する。
図４に示す第二実施形態では、外管１０は、２個の半円単体により組成され、図５に示す第三実施形態では、外管１０は、４個の単体により、円形中空管を組み合わせて形成する。
当然、他の実施形態中では、外管１０の単体数量は、５個、６個、７個或いはそれ以上とすることができる。
【００２４】
本考案の実施形態中では、打球アセンブリ３０をさらに有し、打球端１１に結合して設置する。
打球アセンブリ３０は、レザーティップ３１及び固定リング３２を有する。
固定リング３２は、打球端１１に嵌めて設置し、レザーティップ３１は、打球端１１反対の、固定リング３２端部に設置する。
打球アセンブリ３０は、中間部材３３をさらに有し、レザーティップ３１と固定リング３２の間に設置し、中間部材３３を通して、レザーティップ３１と固定リング３２の間に設置される。
これにより、ビリヤードキュースティック１の打球の強度を強化でき、こうして外管１０は、強力な打球中でも破裂或いは損壊することがない。
【００２５】
内部設置部材２０は、第一実施形態から第三実施形態中では、横断面が中空円で、しかも内部設置部材２０の材質は、カーボンファイバー或いはその他の非金属材質である。
また、内部設置部材２０の少なくとも一端には、端部部材２１を設置する。
内部設置部材２０が中空管であれば、端部部材２１は、内部設置部材２０の端部に挿入され固定される。
図２中では、内部設置部材２０の端部部材２１は、外管１０に隣接する組み接続端１２に設置され、しかも端部部材２１は、ポリウレタンで、打球の弾性を増大できる。
【００２６】
これにより、本考案によるビリヤードキュースティックシャフト１００は、内部設置部材２０を外管１０内に通して設置し、しかも内部設置部材２０は、カーボンファイバー或いはその他非金属材質を設置することで、ビリヤードキュースティックシャフト１００の直度、硬度及び弾性を増強でき、打球と球制御の安定性を達成し、しかも気候の影響で製品の品質に変化が生じにくくなる。
【００２７】
図６及び図７に示す通り、本考案の第四実施形態の、前記実施形態との差異は、以下の通りである。
内部設置部材２０の横断面は、中実円で、しかも外管１０は、単一中空管と内部設置部材２０が円形対応である。
【００２８】
図８に示す通り、本考案の第五実施形態では、その内部設置部材２０の横断面は、中実円で、外管１０は、２個の半円単体により組成する。
【００２９】
図９に示す通り、本考案の第六実施形態では、その内部設置部材２０の横断面は、中実円で、外管１０は、４個の単体により、円形中空管を組み合わせて形成する。
【００３０】
図１０に示す通り、本考案の第七実施形態では、内部設置部材２０は、２個で、しかも横断面は、中空円で、外管１０の軸に上向きに離して設置される。
本実施形態中では、外管１０は、係止部１４を有し、収容設置空間１３を２個に区画し、相互に連通せず、２個の内部設置部材２０をそれぞれ内部に設置する。
外管１０が単一中空管である時、係止部１４は、外管１０の一部分で、外管１０が複数単体により組成される時には、係止部１４は、単体に共同構成される。
さらに、各内部設置部材２０の両端には共に、該端部部材２１を設置し、各内部設置部材２０の、係止部１４に隣接する端部部材２１は、係止部１４に接触する。
【００３１】
図１１に示す通り、本考案の第八実施形態の、第七実施形態との差異は、内部設置部材２０の横断面が中実円である点である。
【００３２】
図１２に示す通り、本考案の第九実施形態では、内部設置部材２０は、１個で、内部設置部材２０と打球端１１の間には、充填部材４０を設置する。
充填部材４０は、ポリウレタン或いは木材であるが、これに限定されない。
本実施形態中では、内部設置部材２０の横断面は、中空円で、しかも内部設置部材２０の両端には、共に端部部材２１を設置する。
内部設置部材２０は、組み接続端１２の端部部材２１から離れ、充填部材４０に接続する。  
【００３３】
図１３に示す通り、本考案の第十実施形態と第九実施形態との差異は、内部設置部材２０の横断面が中実円である点である。
【００３４】
これにより、本考案のビリヤードキュースティックシャフト１００は、組合せ式を採用し、非単一構成部材で、こうして全体的に気候の影響を受けて変質しにくくなり、しかも構造が硬すぎることもなく、一定の弾性を有し球制御の安定性を高められ、良好な打球効果を達成できる。
【００３５】
前述した本考案の実施形態は本考案を限定するものではなく、よって、本考案により保護される範囲は後述される実用新案登録請求の範囲を基準とする。
【符号の説明】
【００３６】
１  ビリヤードキュースティック
１００  ビリヤードキュースティックシャフト  
１０  外管  
１１  打球端  
１２  組み接続端  
１３  収容設置空間  
１４  係止部  
２  バット  
２０  内部設置部材  
２１  端部部材  
３０  打球アセンブリ  
３１  レザーティップ  
３２  固定リング  
３３  中間部材  
４０  充填部材
【図１】
0003216996.tif 000003
【図２】
0003216996.tif 000004
【図３】
0003216996.tif 000005
【図４】
0003216996.tif 000006
【図５】
0003216996.tif 000007
【図６】
0003216996.tif 000008
【図７】
0003216996.tif 000009
【図８】
0003216996.tif 000010
【図９】
0003216996.tif 000011
【図１０】
0003216996.tif 000012
【図１１】
0003216996.tif 000013
【図１２】
0003216996.tif 000014
【図１３】
0003216996.tif 000015